(57)【要約】【課題】  所有物が盗難されたことを所有者に通知することを可能とする情報処理装置を提供する。【解決手段】  自動発信設定内容記憶部２８ａに記憶されている設定内容にはパスワードがかけられており、盗難者が変更することができず、自動発信ＯＮ解除設定はＯＦＦに設定される（ステップ  Ｓ１０３  ＯＦＦ）。その後、自動発信制御部２０ａは携帯電話３または固定電話４への自動発信を開始する（ステップ  Ｓ１０４）。盗難者がコンピュータ１を盗難し、使用していることを正規の所有者に報知するために、オーディオコーディック２３はシステムタイマ２０ｂにて生成された振動波に基づいて識別音を生成する（ステップ  Ｓ１０８）。【選択図】  図４
2005316693.tif 000002
【特許請求の範囲】
【請求項１】
電話回線を介して外部機器と通信可能な情報処理装置において、
該情報処理装置のシステムへ電源供給を開始させるスイッチと、
前記外部機器に割当てられる電話番号を設定する設定手段と、
前記スイッチの操作によって電源供給が開始された後、音を生成し、前記設定手段によって設定されている前記電話番号が割当てられている前記外部機器に前記生成された音を前記電話回線を通じて送信する送信手段と、
を具備することを特徴とする情報処理機器。
【請求項２】
前記送信手段によって前記外部機器に前記音を送信するか否かを設定する第２の設定手段と、
前記第２の設定手段によって前記音を前記外部機器に送信すると設定されている内容から前記音を前記外部機器に送信しない内容に変更する変更手段とをさらに有し、
前記送信手段は、
前記スイッチの操作によって電源供給が開始された後、前記変更手段によって前記音を前記外部機器に送信すると設定されている内容を前記外部機器に送信しないと変更することで、前記スイッチの操作によって電源供給が開始された後、前記音を生成しないことを特徴とする請求項１記載の情報処理機器。
【請求項３】
前記送信手段は、
前記スイッチの操作によって電源供給が開始された後、メッセージを生成し、前記設定手段によって設定されている前記電話番号が割当てられている前記外部機器に前記メッセージを前記電話回線を通じて送信する手段をさらに具備することを特徴とする請求項１記載の情報処理装置。
【請求項４】
電話回線を介して外部機器と通信可能な情報処理装置にて実行される通知方法において、
スイッチを操作することで該情報処理装置のシステムへ電源供給を開始させ、
前記外部機器に割当てられる電話番号を設定し、
前記スイッチの操作によって電源供給が開始された後、音を生成し、前記設定手段によって設定されている前記電話番号が割当てられている前記外部機器に前記生成された音を前記電話回線を通じて送信することを特徴とする通知方法。
【請求項５】
前記外部機器に前記音を送信するか否かを設定し、
前記スイッチの操作によって電源供給が開始された後、前記音を前記外部機器に送信すると設定されている内容から前記外部機器に送信しない内容に変更することで、前記スイッチの操作によって電源供給が開始された後、前記音を生成しないことを特徴とする請求項４記載の通知方法。
【請求項６】
前記スイッチの操作によって電源供給が開始された後、メッセージを生成し、前記設定されている前記電話番号が割当てられている前記外部機器に前記メッセージを前記電話回線を通じて送信する手段をさらに具備することを特徴とする請求項４記載の通知方法。
【発明の詳細な説明】
【技術分野】
【０００１】
本発明は、盗難対策機能が搭載される情報処理装置に関する。
【背景技術】
【０００２】
近年、ノート型パーソナルコンピュータを初めとする情報処理装置において、携帯性をさらに向上させるためにサイズの小型化が図られている。
【０００３】
しかしながら、携帯性が高まった情報処理装置は第三者によって盗難され易くなっている。
【０００４】
携帯通信機器の盗難通知システムとして、携帯電話に本人認証の機能を装備し、盗難者が該携帯電話を使用することで認証に失敗し自動的にサービスセンター及び持ち主へ該携帯電話が盗難された旨を通知する盗難通知システムがあった（特許文献１参照。）。
【特許文献１】特開２００３−１９９１５５号公報（第５頁、第２図）
【発明の開示】
【発明が解決しようとする課題】
【０００５】
特許文献１に開示された技術では、盗難対象となる電子機器が携帯電話であるため、盗難者が該携帯電話を使用することで、事業者サービスセンターに盗難された旨が通知される。
【０００６】
しかしながら、電話機能を有せず電話番号が割り当てられていない例えばノートブック型パソコン等が盗難された場合、正当な所有者は該パソコンが盗難されたことを知ることが不可能である。
【０００７】
そこで、本発明は所有物が盗難されたことを所有者に通知することを可能とする情報処理装置を提供することを目的とする。
【課題を解決するための手段】
【０００８】
上記目的を達成するために、請求項１に係る情報処理装置では、電話回線を介して外部機器と通信可能な情報処理装置において、情報処理装置のシステムへ電源供給を開始させるスイッチと、外部機器に割当てられる電話番号を設定する設定手段と、スイッチの操作によって電源供給が開始された後、音を生成し、設定手段によって設定されている電話番号が割当てられている外部機器に生成された音を電話回線を通じて送信する送信手段とを具備することを特徴とする。
【０００９】
また、請求項４に係る通知方法では、電話回線を介して外部機器と通信可能な情報処理装置にて実行される通知方法において、スイッチを操作することで情報処理装置のシステムへ電源供給を開始させ、外部機器に割当てられる電話番号を設定し、スイッチの操作によって電源供給が開始された後、音を生成し、設定手段によって設定されている電話番号が割当てられている外部機器に生成された音を電話回線を通じて送信することを特徴とする。
【発明の効果】
【００１０】
本発明によれば、所有者に盗難されたことを通知することが可能である。
【発明を実施するための最良の形態】
【００１１】
以下本発明に係る実施の形態を、図面を参照して説明する。
【００１２】
まず、図１を参照して、情報処理装置のシステム構成について説明する。この情報処理装置は、例えば、ノートブック型パーソナルコンピュータ（以下、コンピュータと称す。）１として実現されている。
【００１３】
ホストハブ１１には、ＣＰＵ１０、メモリ１３、グラフィックスコントローラ１５およびＩ／Ｏハブ２０が接続されている。
【００１４】
ホストハブ１１はＣＰＵ１０のシステムバス１２とＩ／Ｏハブ２０との間を接続するブリッジデバイスである。ホストハブ１１にはメモリ１３へのアクセスを制御するメモリコントローラが内蔵されている。
【００１５】
ＣＰＵ１０はコンピュータ１の動作を制御するために設けられたプロセッサである。ＣＰＵ１０は外部記憶装置であるハードディスクドライブ（ＨＤＤ）２１からメモリバス１４を介してメモリ１３にロードされる、オペレーティングシステム（ＯＳ）および各種アプリケーション／ユーティリティプログラムを実行する。また、ＣＰＵ１０は、ＢＩＯＳ−ＲＯＭ２２に格納されたＢＩＯＳ（Basic Input Output System）も実行する。
【００１６】
ホストハブ１１にＡＧＰバス１６を介して接続されるグラフィクスコントローラ１５はコンピュータ１のディスプレイモニタとして使用されるＬＣＤ１８を制御する。グラフィクスコントローラ１５はビデオメモリ（ＶＲＡＭ）１７を有しており、ＯＳ／アプリケーションプログラムによってビデオメモリ１７に描画されたデータをＬＣＤ１８に表示する。
【００１７】
ホストハブ１１と例えばハブインターフェイスといった専用バスで接続されるＩ／Ｏハブ２０は、ＰＣＩ（Peripheral Component Interconnect）バス２３上の各デバイスおよびＬＰＣ（low pin count）バス２２上の各デバイスを制御する。Ｉ／Ｏハブ２０には、外部記憶装置であるＨＤＤ２１を制御するためのＩＤＥ（Integrated Drive Electronics）コントローラ、およびＵＳＢ３６を制御するためのＵＳＢコントローラが内蔵される。
【００１８】
ＨＤＤ２１はＩ／Ｏハブ２０とシリアルＡＴＡ２１ａを介して接続される。ＨＤＤ２１には、オペレーティングシステム（ＯＳ）、各種アプリケーション／ユーティリティプログラムおよびアプリケーションプログラムを使用することでユーザが作成したデータ等が記憶される。
【００１９】
ＢＴ（ＢｌｕｅＴｏｏｔｈ）モジュール３７はＩ／Ｏハブ２０とＵＳＢ３６を介して接続される。ＢＴモジュール３７は、Ｂｌｕｅｔｏｏｔｈ通信（以下、ＢＴ通信と称す。）を行うために必要なＬＳＩ群（例えば、ＲＦ部、ベースバンド部等）から構成される。ＢＴモジュール３７に接続されるアンテナ３８は、ＢＴ通信を行う相手に対して電波を送信する、またはＢＴ通信を行う相手から送信される電波を受信する。
【００２０】
オーディオコーディック２３はＩ／Ｏハブ２０とＡＣ（Ａｕｄｉｏ  Ｃｏｄｅｃ）９７（２２）を介して接続される。オーディオコーディック２３は、サウンド入出用のコーディックの一種である。オーディオコーディック２３は、入出力されるサウンドのコーディック部とアナログモデムのデータ処理部等を有する。
【００２１】
オーディオコーディック２３にはモデム２４およびＡＭＰ２５ａが接続される。ＡＭＰ２５ａはオーディオコーディック２３にて生成されたサウンド信号を増幅する。ＡＭＰ２５ａによって増幅されたサウンド信号はスピーカ２５に送出され、スピーカ２５は可聴周波数帯の音波を出力する。
【００２２】
モデム２４はデジタル信号からアナログ信号への変調処理、およびアナログ信号からデジタル信号への復調処理等を行う。
【００２３】
モデム２４によってデジタル信号から変換されたアナログ信号は、アナログ回線網である電話回線２を介して携帯電話３、固定電話４等に送信される。
【００２４】
この携帯電話３および固定電話４は、コンピュータ１の正規所有者によって所有されている。また携帯電話３および固定電話４は夫々、ディスプレイを具備する。
【００２５】
ＰＣＩバス２３上には無線ＬＡＮコントローラ３４が接続される。無線ＬＡＮコントローラ３４は、例えばＩＥＥＥ８０２．１１ｇ通信といった無線ＬＡＮ通信を行うために必要なＬＳＩ群（例えば、ＲＦ部、ベースバンド部等）から構成される。無線ＬＡＮコントローラ３４に接続されるアンテナ３５は、無線ＬＡＮ通信を行う相手に対して電波を送信する、または無線ＬＡＮ通信を行う相手から送信される電波を受信する。
【００２６】
ＬＰＣバス２２上にはエンベデッドコントローラ／キーボードコントローラＩＣ（ＥＣ／ＫＢＣ）２３が接続される。
【００２７】
エンベデッドコントローラ／キーボードコントローラＩＣ（ＥＣ／ＫＢＣ）２３は、電力管理のためのエンベデッドコントローラと、キーボード（ＫＢ）ユニット５を制御するためのキーボードコントローラとが集積された１チップマイクロコンピュータである。ＥＣ／ＫＢＣ２３は、ユーザによるパワーボタンの操作に応じてコンピュータ１をパワーオン／パワーオフする機能を有している。ＥＣ／ＫＢＣ２３には、キーボード２９、ＰＳＣ（Ｐｏｗｅｒ  Ｓｕｐｐｌｙ  Ｃｏｎｔｒｏｌｅｒ）３０およびメインスイッチ３９が接続される。また、ＰＳＣ３９にはＡＣ電源３１および二次電池３２が接続される。
【００２８】
キーボード３９は、英字、カナ、数字、記号などが刻印されたキー群で構成され、ユーザがこれらのキーを押下すると、キーに割り当てられた文字がコンピュータ１に入力される。
【００２９】
メインスイッチ３９はコンピュータ１を構成するモジュール群に電力供給を開始する際に押下げされるスイッチである。ＥＣ／ＫＢＣ２３はメインスイッチ３９が押下げられたことを検知し、ＰＳＣ３０に対してＡＣ電源３１または二次電池３２から各モジュールに電力を供給するように通知する。次にＩ／Ｏハブ２０およびＥＣ／ＫＢＣ２８の詳細な構成について説明する。
【００３０】
図２は、Ｉ／ＯハブおよびＥＣ／ＫＢＣの詳細な構成を示す図である。
【００３１】
ＥＣ／ＫＢＣ２８には自動発信設定内容記憶部２８ａが設けられる。ここで、自動発信とは、コンピュータ１の電源がオンされた際、コンピュータ１の所有者が所有する携帯電話または固定電話に自動的に音等を発信することである。自動発信設定内容記憶部２８ａには、後述にて説明する自動発信制御部によって行われる動作の設定内容が保存される。自動発信設定内容記憶部２８ａに記憶される設定内容を以下に説明する。
【００３２】
（１）自動発信ＯＮ／ＯＦＦ設定：自動発信をするか否かを設定し、その設定内容を保存。自動発信をＯＮにすることで、後述にて説明する自動発信制御部は電力が供給されている状態で発信先に対して自動発信を行うことが可能となる。
【００３３】
（２）自動発信ＯＮ解除設定：ＯＮに設定した自動発信をＯＦＦにするために操作する任意のキー割り当て内容を保存。
【００３４】
なお、自動発信設定内容記憶部２８ａに記憶されている設定内容を盗難者によって容易に変更されないようにするために、自動発信設定内容記憶部２８ａに記憶される設定内容にはパスワードがかけられている。さらに、ＥＣ／ＫＢＣ２８にはコンピュータ１のメイン電源がオフ時においても電力が供給されているので、自動発信設定内容記憶部２８ａに記憶されている内容は常に保持されている。
【００３５】
Ｉ／Ｏハブ２０には自動発信制御部２０ａ、システムタイマ２０ｂ、発信先設定部２０ｃおよびリダイヤル機能設定部２０ｄが設けられる。
【００３６】
自動発信制御部２０ａは、自動発信設定内容記憶部２８ａに記憶されている設定内容に基づいて自動発信制御を行う。
【００３７】
システムタイマ２０ｂは所定の条件のもとで振動波を生成する。生成された振動波はオーディオコーディックに伝送され、アナログ音信号に変換される。
【００３８】
発信先設定部２０ｃにはコンピュータ１の正規所有者の電話番号が指定される。発信先となるのは、図１にて説明した携帯電話３または固定電話４である。
【００３９】
リダイヤル機能設定部２０ｄは以下に説明する機能を有する。
【００４０】
（１）自動発信時において、電話回線２に未接続であった場合、または電話回線２に接続されているものの発信先設定部２０ｃに設定されている発信先の状態のために再発信が必要な場合におけるリダイヤル間隔時間の設定機能、およびリダイヤル間隔の経過時間の測定機能
（２）自動発信時において、自動発信制御部２０ａによって行われる発信先の呼出の回数の設定機能、および発信先の呼出回数の測定機能
次に、コンピュータ１の正規所有者によって行われる盗難対策設定について説明する。
【００４１】
図３は、コンピュータの正規所有者によって行われる盗難対策設定について説明したフローチャートである。以下、フローに従って盗難対策設定について説明する。
【００４２】
・自動発信設定をＯＮ設定する（ステップ  Ｓ１０）。
【００４３】
・自動発信ＯＮ設定を解除するために必要となる操作を設定する(ステップＳ１１)。この操作として、キーボード２９の所定のキーを押下するといった操作が考えられる。そこで、自動発信ＯＮ設定を解除する際に押下する所定のキーを割り当てる設定を行う。正規所有者がこの設定を予め行っておくことで、正規所有者がコンピュータ１を使用開始する前に、例えばキーボード２９の所定のキーを押下するといった操作を行うことで、自動発信機能がＯＮされることを防止することが可能となる。
【００４４】
・発信先設定部２０ｃにコンピュータ１の正規所有者の所有する携帯電話３または固定電話４の電話番号を指定する（ステップＳ１２）。
【００４５】
・リダイヤル機能設定部２０ｄに発信先の呼出（リダイヤル）回数およびリダイヤル間隔を設定する。
【００４６】
次に、コンピュータ１を盗難した盗難者によってコンピュータ１が使用される場合におけるコンピュータ１にて実行される処理について説明する。
【００４７】
図４は、盗難者によってコンピュータ１が使用される場合におけるコンピュータ１にて実行される処理について説明したフローチャートである。
【００４８】
盗難者がコンピュータ１のメイン電源をオンにする（ステップ  Ｓ１０１）。メイン電源オン操作に伴って、ＡＣ電源３１または二次電池３２からコンピュータ１を構成する各モジュール（Ｉ／Ｏハブ２０を含む）に電源が供給される。
【００４９】
電源が供給されたＩ／Ｏハブ２０に設けられる自動発信制御部２０ａは、ＥＣ／ＫＢＣ２８に設けられる自動発信設定内容記憶部２８ａに記憶されている自動発信ＯＮ／ＯＦＦ設定内容を参照する。前述したとおり、自動発信設定内容記憶部２８ａに記憶されている設定内容にはパスワードがかけられているので、盗難者が変更することができず、自動発信設定はＯＮに設定されている（ステップ  Ｓ１０２  ＯＮ）。
【００５０】
自動発信制御部２０ａは、自動発信設定内容記憶部２８ａに記憶されている自動発信ＯＮ解除設定を解除するために必要となる所定のキーの操作内容を参照する。前述したとおり、自動発信設定内容記憶部２８ａに記憶されている設定内容にはパスワードがかけられているので、盗難者が変更することができず、自動発信ＯＮ解除設定はＯＦＦに設定されている（ステップ  Ｓ１０３  ＯＦＦ）。
【００５１】
自動発信制御部２０ａはリダイヤル機能設定部２０ｄに設けられている呼出回数をカウントするカウンタを初期化する。その後、自動発信制御部２０ａはダイアル機能設定部２０ｄに設定されている発信先の呼出回数、リダイヤル間隔および発信先設定を参照し、携帯電話３または固定電話４への自動発信を開始する（ステップ  Ｓ１０４）。
【００５２】
自動発信制御部２０ａはシステムタイマ２０ｂにて振動波が生成されるか否かを検出し、検出結果に基づいて、発信先との通信状態を確認する（ステップ  Ｓ１０５）。
【００５３】
盗難者がコンピュータ１を電話回線２に接続していなかった場合（ステップ  Ｓ１０５  Ｎｏ）、リダイヤル処理待ち状態へ移行する（ステップ  Ｓ１０７）。一方、盗難者がコンピュータ１を電話回線２に接続していた場合（ステップ  Ｓ１０５  Ｙｅｓ）、自動発信制御部２０ａがシステムタイマ２０ｂにて振動波が生成されたことを検出したならば、発信先との通話状態確認処理を行う（ステップ  Ｓ１０６）。
【００５４】
自動発信制御部２０ａはリダイヤル機能設定部２０ｄに設けられている呼出回数をカウントするカウンタを用いて発信先への呼出回数をカウントし、予め設定されている発信先の呼出の回数内に発信先と通話状態になったか否かを判断する。
【００５５】
自動発信制御部２０ａが発信先と通話状態になったと判断した場合（ステップ  Ｓ１０６  Ｙｅｓ）、識別音生成処理に移行する。
【００５６】
一方、自動発信制御部２０ａが発信先と通話状態になっていないと判断した場合（ステップ  Ｓ１０６  Ｎｏ）、リダイヤル処理待ち状態へと移行する（ステップ  Ｓ１０７）。
【００５７】
自動発信制御部２０ａはリダイヤル機能設定部２０ｄに設けられている呼出回数をカウントするカウンタを初期化する。さらに自動発信制御部２０ａは発信先へリダイヤルする時間を計測し、リダイヤルする時間に達すると自動発信制御部２０ａは再度リダイヤル処理を実行する。
【００５８】
盗難者がコンピュータ１を盗難し、使用していることを正規の所有者に報知するために、オーディオコーディック２３はシステムタイマ２０ｂにて生成された振動波に基づいて識別音を生成する（ステップ  Ｓ１０８）。コンピュータ１の正規所有者は携帯電話２または固定電話３を通じて生成された識別音を聴くことで、コンピュータ１が盗難されたことを認識することが可能となる。
【００５９】
さらに、コンピュータ１の正規所有者が電話番号を設定した携帯電話２または固定電話３に設けられるディスプレイに盗難者が使用している電話番号が表示されることで、盗難者を特定することが可能となる。
【００６０】
なお、上述の実施形態にてコンピュータ１が盗難されたことを正規の所有者に通知する方法としてモデム２４を介して携帯電話２または固定電話３に自動発信する方法を説明したが、Ｂｌｕｅｔｏｏｔｈ通信または無線ＬＡＮ通信を用いて正規の所有者にコンピュータ１が盗難されたことを通知してもよい。
【００６１】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００６２】
【図１】情報処理装置のシステム構成について説明するシステムブロック図。
【図２】Ｉ／ＯハブおよびＥＣ／ＫＢＣの詳細な構成を示す図。
【図３】コンピュータの正規所有者によって行われる盗難対策設定について説明したフローチャート。
【図４】盗難者によってコンピュータが使用される場合におけるコンピュータ１にて実行される処理について説明したフローチャート。
【符号の説明】
【００６３】
１…パーソナルコンピュータ、２…電話回線、３…携帯電話、４…固定電話、
【図１】
2005316693.tif 000003
【図２】
2005316693.tif 000004
【図３】
2005316693.tif 000005
【図４】
2005316693.tif 000006